(57)【要約】【課題】    本発明の目的は、樹木葬を容易に形成することができる樹木葬の形成方法を提供するものである。【解決手段】    樹木葬の形成方法は、遺骨を粉末にした骨灰又は遺骨を内在した収納体１と、この収納体１を内在すると共に、土を収納した容器２と、この容器２の土に植えられた木３とを備え、一定期間、自宅において、木３に少なくとも水を与えて育て、前記一定期間経過後、成長した木３を容器２ごと自然界の土に植栽するものである。【選択図】図２
2018117832.tif 000002
【特許請求の範囲】
【請求項１】
遺骨を粉末にした骨灰又は遺骨を内在した収納体と、この収納体を内在すると共に、土を収納した容器と、この容器の土に植えられた木とを備え、
一定期間、自宅において、前記木に少なくとも水を与えて育て、前記一定期間経過後、成長した前記木を前記容器ごと自然界の土に植栽する
ことを特徴とする樹木葬の形成方法。
【請求項２】
遺骨を粉末にした骨灰又は遺骨と土を収納した容器と、この容器内に植えられた木とを備え、
一定期間、自宅において、前記木に少なくとも水を与えて育て、前記一定期間経過後、成長した前記木を前記容器ごと自然界の土に植栽する
ことを特徴とする樹木葬の形成方法。
【請求項３】
成長した木を容器ごと自然界の土に植栽するものが隣接して複数有る場合、隣接する前記容器の間に、仕切り部材を設けて前記木の根が隣接する側へ侵入するのを阻止する
ことを特徴とする請求項１又は請求項２記載の樹木葬の形成方法。
【発明の詳細な説明】
【技術分野】
【０００１】
本発明は、樹木葬の形成方法に係り、特に、樹木葬を容易に形成することができる樹木葬の形成方法に関する。
【背景技術】
【０００２】
墓石の代わりに樹木を墓標とする樹木葬がある。樹木葬の形成方法としては、例えば、埋葬時に土を掘ることなく、容易に植物の下深く埋葬することができるものがある（例えば、特許文献１参照）。
【先行技術文献】
【特許文献】
【０００３】
【特許文献１】特開２００８−１３３６６７号公報
【発明の概要】
【発明が解決しようとする課題】
【０００４】
しかしながら、上記のものにあっては、遺骨を埋葬する際に、ウィンチを用いて、植物が植えられている埋葬用鉢を引き上げねばならず、作業が大掛かりになるという問題点があった。
【０００５】
本発明は、上記問題点を考慮してなされたもので、樹木葬を容易に形成することができる樹木葬の形成方法を提供することを目的とする。
【課題を解決するための手段】
【０００６】
請求項１記載の樹木葬の形成方法は、遺骨を粉末にした骨灰又は遺骨を内在した収納体と、この収納体を内在すると共に、土を収納した容器と、この容器の土に植えられた木とを備え、一定期間、自宅において、前記木に少なくとも水を与えて育て、前記一定期間経過後、成長した前記木を前記容器ごと自然界の土に植栽するものである。
【０００７】
また、請求項２記載の樹木葬の形成方法は、遺骨を粉末にした骨灰又は遺骨と土を収納した容器と、この容器内に植えられた木とを備え、一定期間、自宅において、前記木に少なくとも水を与えて育て、前記一定期間経過後、成長した前記木を前記容器ごと自然界の土に植栽するものである。
【０００８】
また、請求項３記載の樹木葬の形成方法は、請求項１又は請求項２記載の樹木葬の形成方法において、成長した木を容器ごと自然界の土に植栽するものが隣接して複数有る場合、隣接する前記容器の間に、仕切り部材を設けて前記木の根が隣接する側へ侵入するのを阻止するものである。
【発明の効果】
【０００９】
請求項１記載の樹木葬の形成方法によれば、遺骨を粉末にした骨灰又は遺骨を内在した収納体と、この収納体を内在すると共に、土を収納した容器と、この容器の土に植えられた木とを備え、一定期間、自宅において、木に少なくとも水を与えて育て、身近に置くことにより、悲しみが癒され、一定期間経過後、成長した木を前記容器ごと、自然界にある凹所、又は、凹所がなければ、凹所を形成した後、該凹所内に成長した木を容器ごと置いて、土を盛れば、樹木葬を容易に形成することができる。
【００１０】
また、請求項２記載の樹木葬の形成方法によれば、一定期間、自宅において、木に少なくとも水を与えて育て、身近に置くことにより、悲しみが癒され、一定期間経過後、成長した木を前記容器ごと、自然界にある凹所、又は、凹所がなければ、凹所を形成した後、該凹所内に成長した木を容器ごと置いて、土を盛れば、樹木葬を容易に形成することができる。
【００１１】
また、請求項３記載の樹木葬の形成方法によれば、上述した請求項１又は請求項２記載の発明の効果に加え、成長した木を容器ごと自然界の土に植栽するものが隣接して複数有る場合、隣接する前記容器の間に、仕切り部材を設けて前記木の根が隣接する側へ侵入するのを阻止するため、木の成長をある程度阻止して、整然とした樹木葬を形成することができる。
【図面の簡単な説明】
【００１２】
【図１】図１は、本発明の一実施例の樹木葬の形成方法の一過程を示すもので、収納体を内在すると共に、土を収納し、該土に植えられた木を有する容器の概略的断面図である。
【図２】図２は、図１の容器を自然界の土に植樹した状態の概略的断面図である。
【図３】図３は、図１及び図２の実施例と異なる他の実施例の概略的断面図である。
【図４】図４は、図３の概略的平面図である。
【発明を実施するための形態】
【００１３】
本発明の一実施例の樹木葬の形成方法を図面（図１及び図２）を参照して説明する。
図１に示す１は遺骨を内在した収納体で、２は容器で、容器２は、収納体１を内在すると共に、土を収納している。３は、容器２の土に植えられた木である。 
なお、収納体１に内在される遺骨は、例えば、ペットや故人の遺骨であり、遺骨は粉末にした骨灰としても良い。容器２は、例えば、陶磁器、紙製、生分解性等の素材で形成されている。木３は、例えば、ハナミズキ、サルスベリ、ウメモドキ、エゾアジサイ、ムシカリ、ツリバナ、モミジ等である。
【００１４】
そして、図１に示す容器２の土に植えられた木３を、一定期間（例えば、１〜２年）、自宅において、木３に少なくとも水を与えて育て（図１参照）、一定期間（例えば、１〜２年）経過後、成長した木３を容器１ごと自然界の土４に植栽する（図２参照）。
【００１５】
従って、上述した樹木葬の形成方法によれば、遺骨を粉末にした骨灰（又は遺骨）を内在した収納体１と、この収納体１を内在すると共に、土を収納した容器２と、この容器２の土に植えられた木３とを備え、一定期間、自宅において（例えば、自宅の出窓やベランダに置いて水をやり育てる。）、木３に少なくとも水を与えて育て、身近に置くことにより、悲しみが癒され、一定期間経過後、成長した木３を容器２ごと、自然界にある凹所、又は、凹所がなければ、凹所４’を形成した後、該凹所４’内に成長した木３を容器２ごと置いて、土４を盛れば、樹木葬を容易に形成することができる。
【００１６】
上述した実施例においては、収納体１を用いたが、本願発明にあっては、これに限らず、図示しないが、収納体１を用いないものにも適用できる（例えば、図１、図２から収納体１を除去し、遺骨を粉末にした骨灰又は遺骨は、容器２の土と共に容器２内に収納されている。）。
即ち、遺骨を粉末にした骨灰（又は遺骨）と土を収納した容器２と、この容器２内に植えられた木３とを備え、一定期間（例えば、２〜３年）、自宅において、木３に少なくとも水を与えて育て、前記一定期間経過後、成長した木３を容器２ごと自然界の土に植栽するようにして樹木葬を形成するようにしても良い。
この樹木葬の形成方法によれば、遺骨を粉末にした骨灰（又は遺骨）と土を収納した容器２と、この容器２内に植えられた木３とを備え、一定期間、自宅において、木３に少なくとも水を与えて育て、身近に置くことにより、悲しみが癒され、一定期間経過後、成長した木３を容器２ごと、自然界にある凹所、又は、凹所がなければ、凹所４’を形成した後、該凹所４’内に成長した木３を容器２ごと置いて、土４を盛れば、樹木葬を容易に形成することができる。
【００１７】
成長した木３を容器２ごと自然界の土４に植栽するものが隣接して複数有る場合、図３及び図４に示すように、隣接する容器２の間に、仕切り部材５（例えば、コンクリート、金属部材等）を設けて木３の根が隣接する側へ侵入するのを阻止するようにしても良い。
このように、隣接する容器２の間に、仕切り部材５を設けて木３の根が隣接する側へ侵入するのを阻止することにより、木３の成長をある程度阻止して、整然としたコンパクトな樹木葬を形成することができる。
【符号の説明】
【００１８】
１      収納体
２      容器
３      木
【図１】
2018117832.tif 000003
【図２】
2018117832.tif 000004
【図３】
2018117832.tif 000005
【図４】
2018117832.tif 000006
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
遺骨を粉末にした骨灰又は遺骨を内在した収納体と、この収納体を内在すると共に、土を収納した容器と、この容器の土に植えられた木とを備え、
一定期間、自宅において、前記木に少なくとも水を与えて育て、前記一定期間経過後、成長した前記木を前記容器ごと自然界の土に植栽する樹木葬の形成方法であって、
成長した木を前記容器ごと自然界の土に植栽するものが隣接して複数有る場合にあって、隣接する前記容器の間に、仕切り部材を設けて前記木の根が隣接する側へ侵入するのを阻止する
ことを特徴とする樹木葬の形成方法。
【請求項２】
遺骨を粉末にした骨灰又は遺骨と土を収納した容器と、この容器内に植えられた木とを備え、
一定期間、自宅において、前記木に少なくとも水を与えて育て、前記一定期間経過後、成長した前記木を前記容器ごと自然界の土に植栽する樹木葬の形成方法であって、
成長した木を前記容器ごと自然界の土に植栽するものが隣接して複数有る場合にあって、隣接する前記容器の間に、仕切り部材を設けて前記木の根が隣接する側へ侵入するのを阻止する
ことを特徴とする樹木葬の形成方法。
【請求項３】
容器は、陶磁器である
ことを特徴とする請求項１又は請求項２記載の樹木葬の形成方法。
【手続補正２】
【補正対象書類名】明細書
【補正対象項目名】０００６
【補正方法】変更
【補正の内容】
【０００６】
請求項１記載の樹木葬の形成方法は、遺骨を粉末にした骨灰又は遺骨を内在した収納体と、この収納体を内在すると共に、土を収納した容器と、この容器の土に植えられた木とを備え、一定期間、自宅において、前記木に少なくとも水を与えて育て、前記一定期間経過後、成長した前記木を前記容器ごと自然界の土に植栽する樹木葬の形成方法であって、成長した木を前記容器ごと自然界の土に植栽するものが隣接して複数有る場合にあって、隣接する前記容器の間に、仕切り部材を設けて前記木の根が隣接する側へ侵入するのを阻止するものである。
【手続補正３】
【補正対象書類名】明細書
【補正対象項目名】０００７
【補正方法】変更
【補正の内容】
【０００７】
また、請求項２記載の樹木葬の形成方法は、遺骨を粉末にした骨灰又は遺骨と土を収納した容器と、この容器内に植えられた木とを備え、一定期間、自宅において、前記木に少なくとも水を与えて育て、前記一定期間経過後、成長した前記木を前記容器ごと自然界の土に植栽する樹木葬の形成方法であって、成長した木を前記容器ごと自然界の土に植栽するものが隣接して複数有る場合にあって、隣接する前記容器の間に、仕切り部材を設けて前記木の根が隣接する側へ侵入するのを阻止するものである。
【手続補正４】
【補正対象書類名】明細書
【補正対象項目名】０００８
【補正方法】変更
【補正の内容】
【０００８】
また、請求項３記載の樹木葬の形成方法は、請求項１又は請求項２記載の樹木葬の形成方法において、容器は、陶磁器である。
【手続補正５】
【補正対象書類名】明細書
【補正対象項目名】００１１
【補正方法】変更
【補正の内容】
【００１１】
また、請求項１又は請求項２記載の樹木葬の形成方法によれば、成長した木を容器ごと自然界の土に植栽するものが隣接して複数有る場合、隣接する前記容器の間に、仕切り部材を設けて前記木の根が隣接する側へ侵入するのを阻止するため、木の成長をある程度阻止して、整然とした樹木葬を形成することができる。